【手続補正書】
【提出日】平成18年1月18日(2006.1.18)
【手続補正１】
【補正対象書類名】明細書
【補正対象項目名】特許請求の範囲
【補正方法】変更
【補正の内容】
【特許請求の範囲】
【請求項１】  クライアントに対してサービスを提供する組織にめいめいが関連する複数の場所であって、コンピュータシステムと、該コンピュータシステムと接続されて組織の各クライアントについての情報を蓄積するデータベースと、前記コンピュータシステムと接続されて、少なくとも一つの前記組織のクライアントである当事者のデータ通信装置と通信するデータ通信装置とからなる前記場所を備えたインフラストラクチャからなるシステムにおいて、データ通信装置を有する二者の間での取引に関して保証を提供するシステムであって、前記各場所が、記憶されている情報を他の場所と交わし合う手段と、それぞれの組織のクライアントである当事者の少なくとも一方から受けた要請の応答して、また、少なくとも一つのデータベースに含まれている二人の当事者についての情報と前記少なくとも一方の当事者から受けた取引の性質に関する情報とに基づいて、前記取引の当事者の何れかに関する保証を作成する手段とからなるシステム。
【請求項２】  クライアントに対してサービスを提供する組織にめいめいが関連する複数の場所であって、コンピュータシステムと、該コンピュータシステムと接続されて組織の各クライアントについての情報を蓄積するデータベースと、前記コンピュータシステムと接続されて、少なくとも一つの前記組織のクライアントである当事者のデータ通信装置と通信するデータ通信装置とからなる前記場所を備えたインフラストラクチャからなるシステムにおいて、データ通信装置を有する二者の間での取引に関して保証を提供する方法であって、
対応する組織のクライアントである取引の一方の当事者からその組織に関連する場所へ、その取引の他方の当事者を弁別する情報と当該取引の性質に関する情報とを含む保証要請を伝達し、
前記場所と、他方の当事者がクライアントとなっている組織に関連する場所との間で情報交換を行い、
一方の当事者に対して対応する組織から保証要請に対する回答を伝達することよりなる方法。
【請求項３】  複数の組織と該組織を相互に接続する通信システムとを含むインフラストラクチャにおいて、複数の当事者間で電子的に実施される複数の異なる取引を支援する方法であって、
（ａ）  特定の取引について複数の当事者のうちの２つの当事者Ａ及び当事者Ｂを関連づけるとともに、上記特定の取引における上記２つの当事者の各々の役割を関連づけるステップ、
（ｂ）  当事者Ａが応じなければならない要求を指定して上記特定の取引を実施するステップ、
（ｃ）  当事者Ｂからインフラストラクチャに、ステップ（ｂ）で指定された要求に当事者Ａが応じるという保証を要求するステップ、
（ｄ）  インフラストラクチャから当事者Ｂに、ステップ（ｃ）で要求された保証のステータスに関する応答を与えるステップ、及び
（ｅ）  保証のステータスにより上記特定の取引を終了させて、取引を終了状態にするステップを含むことを特徴とする方法。
【請求項４】  さらに、上記２つの当事者の各々を識別する手段を決定するステップを含んでいることを特徴とする、請求項３に記載の方法。
【請求項５】  さらに、各当事者に対する既発生の保証についての情報と取引上の管理情報とを含む、各当事者についてのインフラストラクチャ管理情報をもつステップを含んでいることを特徴とする、請求項３に記載の方法。
【請求項６】  少なくとも第１末端代表者及び第２末端代表者を有する支援インフラストラクチャを用いて電子取引を実施する方法であって、
（Ａ）  第１クライアント及び第２クライアントが契約を締結し取引を行うステップ、
（Ｂ）  第１クライアント及び第２クライアントが、上記取引の特定の態様と上記取引を終了させるためのそれぞれの能力とに関する情報をやり取りし、上記取引が第２クライアントに義務を課し、第１クライアントが、既知の信頼できる当事者から保証の形態の保険を得ることを希望し、第２のクライアントが少なくとも上記義務を引き受ける能力を有するステップ、
（Ｃ）  上記取引の承諾済みの最終バージョンの説明を含む第１メッセージと、保証要請のための基礎をなす情報とを送るステップ、
（Ｄ）
（ｄ１）  第１クライアント及び第２クライアントの識別番号、
（ｄ２）  該取引に保証を与えるために、又は、第２クライアントについての他の非公開の情報を提供するために、第１クライアントが応じなければならない最低基準を特定する情報、
（ｄ３）  該取引に関連する末端代表者によって保持されている情報、
（ｄ４）  該取引に対する第２クライアントによって支援された担保範囲の限度、
（ｄ５）  第２クライアントによって指定された保証のための有効期間である担保範囲期間、及び
（ｄ６）  保証の支援に関連する特定の取引に関する情報、のうちの少なくとも一部を含む第２メッセージを送るステップ、
（Ｅ）  第１クライアントに、第２メッセージが受信され、それが保証処理を支援するのに必要な情報を含むことを確認する第３メッセージを送るステップ、
（Ｆ）  第１末端代表者から第２末端代表者に、第２クライアントによってつくられた第２メッセージからの要素に加えて、第１クライアントによってつくられた第３メッセージに含まれる取引ハッシュを含む第４メッセージを送るステップ、
（Ｇ）  第２末端代表者から第１末端代表者に、
（ｇ１）  第１クライアントの識別番号、
（ｇ２）  第１クライアントのための取引カウント、
（ｇ３）  支援／不支援の決定、
（ｇ４）  保証パラメータ、
（ｇ５）  承認された担保範囲の限度、
（ｇ６）  データベース取引要素記述、及び
（ｇ７）  不支援の決定の理由、のうちの少なくとも一部のものを含む第５メッセージを送るステップ、
（Ｈ）  第１末端代表者から第１クライアントに、保証のステータスを与える第６メッセージを送るステップ、
（Ｉ）  第１クライアントから第１末端代表者に、第１クライアントが保証を受け入れて代価を支払うとの同意である第７メッセージを送るステップ、
（Ｊ）  第１末端代表者から第２末端代表者に、
（ｊ１）  第２メッセージ中の情報に基づく第１クライアントの識別番号、
（ｊ２）  第２メッセージ中で識別される取引カウント、
（ｊ３）  第１末端代表者によって作成され、上記取引に関連する要求の最終のステータスを示す、要求された保証発行／不発行ステータスの説明、及び
（ｊ４）  担保範囲の限度が上記取引に対して承認されたときの最終担保範囲の値、のうちの少なくとも一部のものを含む第８メッセージ送るステップ、及び
（Ｋ）  第１末端代表者から第１クライアントに、保証の署名がなされた指示である第９メッセージを送るステップ、を含んでいることを特徴とする方法。
【請求項７】  第４メッセージが
ａ）  第２メッセージの署名されたバージョン、及び
ｂ）  第２クライアントの識別番号、を含んでいる、請求項６に記載の方法。
【請求項８】  さらに第４メッセージを受け取る際に、第２末端代表者が、
（ｉ）  第２メッセージの署名の認証、
（ｉｉ）  第４メッセージが繰り返されたメッセージであるか否かの確認、及び
（ｉｉｉ）  最大限に合理的な保証の担保範囲限度とともに、既発行の全担保範囲限度に適合する、第２クライアントに対して有用なデータの再吟味、を実行するステップを含んでいる、請求項６に記載の方法。
【請求項９】  少なくとも第１末端代表者及び第２末端代表者を有する支援インフラストラクチャを用いて電子取引を実行する方法であって、
（Ａ）  被保証人要請者及び保証対象が契約を締結して取引を行い、これにより、被保証人要請者及び保証対象が、取引の特定の態様と取引を終了させる各能力とに関する情報をやり取りし、ここで取引は保証対象に義務を課し、被保証人要請者は既知の信頼できる当事者から保証の形態の保険を取得することを希望し、保証対象は少なくとも義務を引き受ける能力を有するステップ、
（Ｂ）  取引の承諾済みの最終バージョンの説明と、保証要請のための基礎を形成する情報とを送るステップ、
（Ｃ）  保証対象から保証要請者に、
（ｃ１）  上記取引に保証を与えるために、又は保証対象についての他の非公開情報を与えるために応じなければならない最低基準を特定する情報、
（ｃ２）  対象取引に関連する末端代表者によって保持されている情報、
（ｃ３）  上記取引に対する保証対象によって支援された担保範囲の限度、
（ｃ４）  保証対象によって指定された保証のための有効期間である担保範囲期間、及び
（ｃ５）  保証の支援に関連する特定の取引に関する情報、のうちの少なくとも一部のものを含む第２メッセージを送るステップ、
（Ｄ）  第１末端代表者から被保証人要請者に、第２メッセージが受信され、それが保証処理を支援するのに必要な情報を含むことの確認を送るステップ、
（Ｅ）  第１末端代表者から第２末端代表者に、第２メッセージの要素を含む第４メッセージを送るステップ、
（Ｆ）  第２末端代表者から第１末端代表者に、
（ｆ１）  被保証人要請者の識別番号、
（ｆ２）  被保証人要請者のための取引カウント、
（ｆ３）  支援／不支援決定、
（ｆ４）  保証パラメータ、
（ｆ５）  承認された担保範囲限度、
（ｆ６）  データベース取引要素説明、
（ｆ７）  不支援決定の理由、のうちの一部のものを含む第５メッセージを送るステップ、
（Ｇ）  第１末端代表者から被保証人要請者に、保証のステータスを与える第６メッセージを送るステップ、
（Ｈ）  被保証人要請者から第１末端代表者に、被保証人要請者が保証を受け入れて代価を支払うとの同意である第７メッセージを送るステップ、
（Ｉ）  第１末端代表者から第２末端代表者に、
（ｉ１）  第２メッセージ中の情報に基づく被保証人の識別番号、
（ｉ２）  第２メッセージ中で識別される取引カウント、
（ｉ３）  第１末端代表者によって作成され、上記取引に関する要求の最終ステータスを示す、要求された保証の発行／不発行ステータスの説明、及び
（ｉ４）  担保範囲の限度が上記取引に対して承認されたときの最終担保範囲の値、のうちの少なくとも一部のものを含む第８メッセージ送るステップ、及び
（Ｊ）  第１末端代表者から被保証人要請者に、保証の署名された指示である第９メッセージを送るステップ、を含む方法。